(57)【要約】【課題】本発明の課題は、炊飯器等の容器体においてヒンジ部カバーと、ヒンジ部カバーとの連結部材（炊飯器の肩部材など）との間に隙間等を生じにくくすることにある。【解決手段】  本発明に係る容器体１００は、（ａ）本体１１０と、（ｂ）蓋体１４０と、（ｃ）前記本体に対して前記蓋体を開閉自在に装着するヒンジ機構１５０と、（ｄ）前記ヒンジ機構の後側を覆うカバー部材１６０とを備え、前記カバー部材のヒンジ機構対向側の上側部位には、爪部１６４が形成されており、前記爪部は、前記本体を構成する部材であって前記カバー部材の材料よりも高い剛性を有する材料によって形成される第１部材１５３に対して係止される。【選択図】図７
2020192063.tif 000002
【特許請求の範囲】
【請求項１】
本体と、
蓋体と、
前記本体に対して前記蓋体を開閉自在に装着するヒンジ機構と、
前記ヒンジ機構の後側を覆うカバー部材と、を備え、
前記カバー部材のヒンジ機構対向側の上側部位には、爪部が形成されており、
前記爪部は、前記本体を構成する部材であって前記カバー部材の材料よりも高い剛性を有する材料によって形成される第１部材に対して係止される、容器体。
【請求項２】
前記カバー部材には、ヒンジ機構対向側の上側部位からヒンジ機構側に向かって延びる延設部が形成されており、
前記爪部は、前記延設部の先端に設けられる、請求項１に記載の容器体。
【請求項３】
前記カバー部材のヒンジ機構対向側の下側部位には、上方に延びるビス孔を有するビス受け部が設けられており、
前記カバー部材は、前記カバー部材の下側に配設される第２部材に対して前記ビス受け部を介してビス止めされる、請求項１または２に記載の容器体。
【請求項４】
前記カバー部材のヒンジ機構対向側には、前記第１部材に対する位置を決める位置決めリブが形成されている、請求項１または２に記載の容器体。
【請求項５】
前記ヒンジ機構は、付勢部材を有し、
前記爪部は、左右一対形成されており、
前記爪部それぞれの内側近傍にスリットが形成されており、
前記スリットには、前記蓋体の開閉時において前記付勢部材の一部が通過する、請求項１から４のいずれか１項に記載の容器体。
【請求項６】
前記カバー部材のヒンジ機構対向側には、補強リブが形成されている、請求項１から５のいずれか１項に記載の容器体。
【発明の詳細な説明】
【技術分野】
【０００１】
本発明は、炊飯器等の容器体に関する。
【背景技術】
【０００２】
過去に「炊飯器本体の後部に蓋後部をヒンジ軸により取付け、その蓋をヒンジばねにより開放方向に付勢し、上記ヒンジ軸、その軸受部及び上記ヒンジばねの収納部分に上記炊飯器本体の後方から当てたヒンジ部カバーを固定し、上記炊飯器本体に係合した蓋の係合を解除することにより上記蓋を自動開放するようにした炊飯器の蓋開閉構造において、上記ヒンジ軸を所定の間隔をおいて対向した左右２本のヒンジ軸により構成すると共に、各ヒンジ軸の外端部を上記蓋に固定し、上記軸受部を各ヒンジ軸ごとに設けた外側軸受部と内側軸受部とにより構成し、上記各ヒンジ軸にヒンジばねを挿通し、上記ヒンジ部カバーの一部を各ヒンジばねに押し当てた構成を採用したもの」が提案されている（例えば、特開２００２−２８２１２３号公報等参照）。
【先行技術文献】
【特許文献】
【０００３】
【特許文献１】特開２００２−２８２１２３号公報
【発明の概要】
【発明が解決しようとする課題】
【０００４】
ところで、上述の炊飯器では、ヒンジ部カバーに係止爪が設けられており、その係止爪は、肩部材に設けられる係止部に係止されている。ここで、通常、ヒンジ部カバーおよび肩部材は、ポリプロピレン等の安価な樹脂から形成されていることが多い。そして、このような安価な樹脂は、一般的に耐熱性が低く、熱変形することが多い。このため、炊飯器では、熱源に比較的近い肩部材が、炊飯中に生じる熱によって徐々に変形していくことが多い。このように肩部材が変形すると、係止部の位置にズレが生じ、係止爪で連結されているヒンジ部カバーの位置にもズレが生じ、ヒンジ部カバーと肩部材との間に隙間等が生じてしまう。
【０００５】
本発明の課題は、炊飯器等の容器体においてヒンジ部カバーと、ヒンジ部カバーとの連結部材（炊飯器の肩部材など）との間に隙間等を生じにくくすることにある。
【課題を解決するための手段】
【０００６】
本発明に係る容器体は、
本体と、
蓋体と、
前記本体に対して前記蓋体を開閉自在に装着するヒンジ機構と、
前記ヒンジ機構の後側を覆うカバー部材と、を備え、
前記カバー部材のヒンジ機構対向側の上側部位には、爪部が形成されており、
前記爪部は、前記本体を構成する部材であって前記カバー部材の材料よりも高い剛性を有する材料によって形成される第１部材に対して係止される。
【０００７】
上記構成によれば、カバー部材（背景技術の「ヒンジ部カバー」に相当）の爪部が、カバー部材の材料よりも高い剛性を有する材料によって形成される第１部材に対して係止される。一般的に、剛性が高い材料ほど、熱変形しにくくなる。このため、この容器体では、カバー部材と、第１部材との間に隙間等を生じにくくすることができる。
【０００８】
本発明では、
前記カバー部材に、ヒンジ機構対向側の上側部位からヒンジ機構側に向かって延びる延設部が形成されており、
前記爪部は、前記延設部の先端に設けられると好適である。
【０００９】
上記構成によれば、カバー部材の形状を安定させることができる。
【００１０】
本発明では、
前記カバー部材のヒンジ機構対向側の下側部位には、上方に延びるビス孔を有するビス受け部が設けられており、
前記カバー部材は、前記カバー部材の下側に配設される第２部材に対して前記ビス受け部を介してビス止めされると好適である。
【００１１】
上記構成によれば、カバー部材の外側にビスの頭が露出することを避けることができ、延いてはカバー部材のデザイン性の向上に貢献することができる。
【００１２】
本発明では、
前記カバー部材のヒンジ機構対向側に、前記第１部材に対する位置を決める位置決めリブが形成されていると好適である。
【００１３】
上記構成によれば、カバー部材の取付けを容易にすることができると共に、仮にカバー部材が熱変形したとしてもその変形度合いを低くすることができる。
【００１４】
本発明では、
前記ヒンジ機構は、付勢部材を有し、
前記爪部は、左右一対形成されており、
前記爪部それぞれの内側近傍にスリットが形成されており、
前記スリットには、前記蓋体の開閉時において前記付勢部材の一部が通過すると好適である。
【００１５】
上記構成によれば、カバー部材が熱によって膨張した場合であっても爪部が付勢部材の一部に接触する等、付勢部材の一部の動きを阻害することを防止することができる。
【００１６】
本発明では、
前記カバー部材のヒンジ機構対向側に補強リブが形成されていると好適である。
【００１７】
上記構成によれば、カバー部材の熱等による変形を抑制することができる。
【図面の簡単な説明】
【００１８】
【図１】本発明の実施の形態に係る炊飯器の正面図である。
【図２】図１のＩ−Ｉ断面図である。
【図３】本発明の実施の形態に係る炊飯器を図２のＩＩ−ＩＩ線で片側だけ切断した部分断面図である。
【図４】本発明の実施の形態に係る炊飯器を構成する蓋体から上側外装部材を外した際の平面図である。なお、本図面において中央の破線円は内鍋の外周位置を示している。
【図５】本発明の実施の形態に係る炊飯器の蓋体を構成する下側外装部材、軸固定部含有部材および補強部材の分解斜視図である。
【図６】本発明の実施の形態に係る炊飯器を、締結板金のビス螺入位置を含む面で切断した部分断面図である。
【図７】本発明の実施の形態に係る炊飯器を構成するヒンジカバーの後方斜視図である。
【図８】本発明の実施の形態に係る炊飯器、ヒンジカバーの爪部を含む面で切断した部分断面図である。
【図９】本発明の実施の形態に係る炊飯器、ヒンジカバーのビス受け部を含む面で切断した部分断面図である。
【発明を実施するための形態】
【００１９】
＜本発明の実施の形態に係る炊飯器の構造＞
本発明の実施の形態に係る炊飯器１００は、誘導加熱式の圧力炊飯器であって、図１〜図３に示されるように、主に、本体１１０、内鍋１３０、蓋体１４０およびヒンジ機構１５０から構成される。以下、これらの構成要素について詳述する。
【００２０】
１．本体
本体１１０は、図１〜図３に示されるように、主に、筐体１１１、取っ手１１２、断熱材（図示せず）、誘導加熱コイル１１３、保温ヒータＨＴ、フェライトコア組立体１２１、サーミスタ１１４、送風ファン１１５、ヒートシンク１１６、操作パネル１１７、電源回路基板１１８、制御回路基板１１９および自動巻取式電源コードユニット１２０から構成される。以下、これらの構成要素について詳述する。
【００２１】
（１）筐体
筐体１１１は、図１〜図３に示されるように、主に、側壁１１１ａ、底壁１１１ｂ、肩部材１１１ｃ、保護枠１１１ｄおよび基板支持部材１１１ｅから構成されており、断熱材（図示せず）、誘導加熱コイル１１３、フェライトコア組立体１２１、サーミスタ１１４、送風ファン１１５、ヒートシンク１１６、電源回路基板１１８、制御回路基板１１９および自動巻取式電源コードユニット１２０等を収容している。また、肩部材１１１ｃの前側の上側には操作パネル１１７が配設されている。
【００２２】
側壁１１１ａは、平面視において略長方形を呈する囲い壁であって、図１〜図３に示されるように本体１１０の側面を覆っている。また、この側壁１１１ａには、図１〜図３に示されるように取っ手１１２が回動自在に取り付けられる。
【００２３】
底壁１１１ｂは、略方形の板状体であって、図１〜図３に示されるように側壁１１１ａの下側に嵌め込まれており、側壁１１１ａの下側の開口を覆っている。そして、この底壁１１１ｂには、図２に示されるように、筐体１１１の外部の空気を内部に吸い込むための吸気口Ｏｓ、および、筐体１１１の内部の空気を外部に排出するための排気口（図示せず）が形成されている。なお、図２に示されるように、吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００２４】
肩部材１１１ｃは、略方形状の枠体であって、図１〜図３に示されるように側壁１１１ａの上側に嵌合されており、側壁１１１ａの上側の開口の縁部を覆っている。そして、図２に示されるように、この肩部材１１１ｃの下側には、保護枠１１１ｄが取り付けられている。なお、図２に示されるように、保護枠１１１ｄはフランジ部ＦＰ（後述）で肩部材１１１ｃに取り付けられており、フランジ部ＦＰは肩部材１１１ｃを外側に向かって張り出させている。
【００２５】
保護枠１１１ｄは、内鍋１３０の外周を保護すると共に肩部材１１１ｃの形状を保持する役目を担う部材であって、ポリエチレンテレフタレート（ＰＥＴ）樹脂等の形状を保ちやすい材質から形成されている。そして、この保護枠１１１ｄは、図２および図３に示されるように、主に、内鍋収容部ＰＡ、フランジ部ＦＰ、支持部（図示せず）および被嵌合部Ｃｐから形成されている。内鍋収容部ＰＡは、内鍋１３０の外周を覆う椀状の部位である。フランジ部ＦＰは、上述の通り、肩部材１１１ｃの下側に配設されており、肩部材１１１ｃの後側の枠状部位を外側に向かって張ることにより肩部材１１１ｃの後側の枠状部位の形状を保持させている。また、このフランジ部ＦＰには、左側の被嵌合部の前後に一対の電線案内孔（図示せず）が形成されている。なお、この電線案内孔（図示せず）は、フランジ部ＦＰの厚み方向に沿って延びるように形成されている。この電線案内孔には、サーミスタ１１４等から延びる信号線（図示せず）が案内される。なお、信号線は、一方の電線案内孔の下側から上側に抜けて、被嵌合部Ｃｐの上側を通り、もう一方の電線案内孔の上側から下側に抜けるようにして電線案内孔に通されている。なお、上述の通り、フランジ部ＦＰの上側には肩部材１１１ｃが位置しているため、フランジ部ＦＰの上側に通された信号線は、フランジ部ＦＰと肩部材１１１ｃとの間を通ることになる。支持部は、肩部材１１１ｃの前側の枠状部位の後部を外側に向かって張ることにより肩部材１１１ｃの前側の枠状部位の後部の形状を保持させている。被嵌合部Ｃｐには、後述の通り、取っ手１１２の軸部１１２ｂが回動自在に嵌合される。
【００２６】
基板支持部材１１１ｅは、図２に示されるように制御回路基板１１９を支持する共に肩部材１１１ｃの前側の部位の形状を保持する役目を担う部材であって、ポリエチレンテレフタレート（ＰＥＴ）樹脂等の形状を保ちやすい材質から形成されている。
【００２７】
（２）取っ手
取っ手１１２は、使用者が炊飯器１００を手で持ち運ぶために設けられている部材であって、図３に示されるように本体部１１２ａおよび軸部１１２ｂから構成されている。本体部１１２ａは、略コの字状を呈している。軸部１１２ｂは、図３に示されるように本体部１１２ａの両端から内側に向かって延びている。なお、この炊飯器１００において、この軸部１１２ｂは、図３に示されるように、側壁１１１ａの長手方向中央の上部に形成される孔Ｐｘを通って、保護枠１１１ｄに形成される被嵌合部Ｃｐに嵌合されている。
【００２８】
（３）断熱材
断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００２９】
（４）誘導加熱コイル
誘導加熱コイル１１３は、内鍋１３０を誘導加熱する誘導加熱源であって、図２および図３に示されるように保護枠１１１ｄの内鍋収容部ＰＡの底壁部および側壁下端部の外側に配設されている。
【００３０】
（５）保温ヒータ
保温ヒータＨＴは、保温運転時に使用される円環状のヒータであって、図２に示されるように保護枠１１１ｄの内鍋収容部ＰＡの上端（フランジ部ＦＰの下端）からやや下側の部分に配設されている。
【００３１】
（６）フェライトコア組立体
フェライトコア組立体１２１は、図３に示されるように誘導加熱コイル１１３の周囲に配設されている。フェライトコアは、通電時に誘導加熱コイル１１３から発生する電磁波が外部に漏れ出るのを抑制する役目を担っている。また、このフェライトコア組立体１２１においてフェライトコアを収容するフェライトコアホルダ（図示せず）には、整線部が形成されており、保温ヒータＨＴや誘導加熱コイル１１３へと延びる電源線（図示せず）がその整線部に通されている。
【００３２】
（７）サーミスタ
サーミスタ１１４は、温度センサであって、図２に示されるように、保護枠１１１ｄの内鍋収容部ＰＡの底壁部の中央部に形成された開口を通って、上方に向かって突出している。なお、このサーミスタ１１４は、コイルバネ等の付勢部材によって上方に付勢されている。すなわち、このサーミスタ１１４は、上下方向に沿って出没自在な状態とされている。また、このサーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。ところで、このサーミスタ１１４は、図２に示されるように略円盤状のカバー部材１２７によって支持されている。このカバー部材１２７は、保護枠１１１ｄの内鍋収容部ＰＡの底壁にネジ止めされている。
【００３３】
（８）送風ファン
送風ファン１１５は、上述の通り、筐体１１１の底壁１１１ｂに形成される吸気口Ｏｓの直上に、回転軸が略上下方向に沿うようにして配設されている（図２参照）。すなわち、この送風ファン１１５が駆動されると、外部の空気が吸気口Ｏｓから吸い込まれて筐体内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００３４】
（９）ヒートシンク
ヒートシンク１１６は、外部の空気と効率よく熱交換を行わせる部品である。
【００３５】
（１０）操作パネル
操作パネル１１７は、炊飯器１００の運転方法を決定して実行するためのものであって、図１〜図３に示されるように、主に、パネル本体１１７ａおよび押圧ボタンＢＴ等から構成されており、上述の通り、肩部材１１１ｃの前側の上側に配設されている。
【００３６】
（１１）電源回路基板
電源回路基板１１８は、電源回路を構成する基板であって、いくつかの発熱部品を実装している。なお、この電源回路基板１１８は、図２に示されるように、後述する制御回路基板１１９と同様に筐体１１１の前側空間ＳＰｆに収容されている。
【００３７】
（１２）制御回路基板
制御回路基板１１９は、制御回路を構成する基板であって、マイクロコンピュータ等の電子部品を実装している。そして、この制御回路基板１１９は、図２に示されるように、筐体１１１の前側空間ＳＰｆにおいて、ヒートシンク１１６の上方、操作パネル１１７の下側に配設される基板支持部材１１１ｅに支持されている。
【００３８】
（１３）自動巻取式電源コードユニット
自動巻取式電源コードユニット１２０は、電源コードおよび自動巻取機構（図示せず）等から構成されており、図２に示されるように筐体１１１の後側の空間に収容されている。電源コードは、差込プラグ（図示せず）および電気線（図示せず）から構成されている。差込プラグは、電気線の先端に配設されている。電気線は、伸展自在に自動巻取機構に巻回されている。
【００３９】
２．内鍋
内鍋１３０は、上方に開口する椀状の鍋であって、肩部材１１１ｃの開口に挿通されると共に、保護枠１１１ｄの内鍋収容部ＰＡに所定の隙間をもって収容される。なお、ここで、内鍋１３０は、種々のアルミニウム合金およびステンレス合金の多層体（クラッド材）であって、誘導加熱コイル１１３によって誘導加熱され得る。
【００４０】
３．蓋体
蓋体１４０は、図１〜図５に示されるように、主に、外装体１４１、開閉ボタン１４２、圧力調整機構１４３、補強部材１４４、内蓋１４５、レバー部材１４６、軸固定部含有部材１４７および軸１５１から構成されており、ヒンジ機構１５０を介して本体１１０に回動自在に取り付けられている。なお、軸１５１は、ヒンジ機構１５０の一部も構成している。
【００４１】
外装体１４１は、図２および図３に示されるように、ポリプロピレン等の汎用樹脂製の上側外装部材１４１ａおよび下側外装部材１４１ｂから構成される略直方体状の部材であって、開閉ボタン１４２、圧力調整機構１４３およびレバー部材１４６等を収容している。なお、ここで、開閉ボタン１４２は、図１〜図３に示されるように、上面が外装体１４１の上側に露出するように外装体１４１に配設されている。また、ここで、この外装体１４１は、図４および図５に示されるように使用時の内圧に耐えることができるように補強部材１４４によって補強されている。さらに、図２および図３に示されるように、この外装体１４１の下面には、内蓋１４５が着脱自在に配設されている。
【００４２】
開閉ボタン１４２は、蓋体１４０を開閉するための角丸長方形状のボタンであって、図２に示されるようにレバー部材１４６の上側に配設されている。なお、この開閉ボタン１４２は、コイルバネ（図示せず）によって上方に向かって付勢されている。
【００４３】
レバー部材１４６は、当接板部（図示せず）と、当接板部の前側から下方に延びる左右一対の延設板部（図示せず）と、各延設板部の下部から後方に向かって延びる爪部（図示せず）とから形成される金属板部材であって、外装体１４１に軸支されていると共に、当接板部の後端でコイルバネ（図示せず）によって上方に向かって付勢されている。なお、ここで、使用者によって開閉ボタン１４２が押し下げられると、開閉ボタン１４２は、レバー部材１４６の当接板部のうち回動軸の後側の部位に当接する。
【００４４】
そして、使用者が蓋体１４０を閉状態としようとするとき、使用者は開閉ボタン１４２を操作する必要がなく、そのまま蓋体１４０を本体１１０に向かって倒し込めばよい。このとき、レバー部材１４６の爪部が、肩部材１１１ｃに形成される傾斜面（図示せず）に接触しながら下方に移動していく。この間、レバー部材１４６は、コイルバネの付勢力に逆らって前方に向かって回動する。そして、爪部が、肩部材１１１ｃに形成される爪受孔（図示せず）まで達すると、コイルバネの付勢力により爪部がその爪受孔に嵌り込む。このようにして蓋体１４０が閉状態となる。一方、蓋体１４０を開状態とするとき、使用者は、開閉ボタン１４２を押し下げる。すると、開閉ボタン１４２の下端部位がレバー部材１４６の当接部に当接し、レバー部材１４６がコイルバネの付勢力に逆らって前方に向かって回動する。このとき、爪受孔に嵌り込んでいた爪部が爪受孔から引き出される。そして、ヒンジ機構１５０の付勢力により蓋体１４０が上方に持ち上げられ、蓋体１４０が開状態となる。
【００４５】
圧力調整機構１４３は、蓋体１４０が閉状態とされ圧力炊飯運転されている状態において、内鍋１３０の内部の圧力を１．０３〜１．３気圧に調整する機構であって、図４に示されるように、主に、調圧ボール（図示せず）、調圧ボール収容部１４３ａ、往復動アクチュエータ１４３ｂおよび作用ロッド１４３ｃから構成されている。調圧ボールは、調圧ボール収容部１４３ａに収容されており、下側外装部材１４１ｂに形成されている調圧孔（図示せず）の上側に配設されている。そして、この調圧ボールは、作用ロッド１４３ｃの押棒部（図示せず）に押されていない状態において調圧孔を塞ぐように弁座に鎮座して内鍋１３０の内圧を調整し（内鍋１３０の内圧が所定値以上になると、この調圧ボールが押し上げられ、一時的に内圧が低下させられる。）、押棒部に押された状態において調圧孔を常時開放する。往復動アクチュエータ１４３ｂは、ソレノイドを利用した電磁式ピストンであり、図４に示されるようにそのピストンＰＴの先端に作用ロッド１４３ｃが取り付けられている。なお、ここで、往復動アクチュエータ１４３ｂのピストンＰＴが後退すると作用ロッド１４３ｃが前方に移動し、往復動アクチュエータ１４３ｂのピストンＰＴが前進すると作用ロッド１４３ｃが後方に移動する。そして、作用ロッド１４３ｃが前方に移動すると、調圧ボールが、調圧孔を塞ぐように弁座に鎮座する状態となる（すなわち圧力炊飯運転状態となる）と共に、作用ロッド１４３ｃの開閉ロック部（後述）ＲＣによりレバー部材１４６の回動運動が規制されて蓋体１４０が開かない状態となる。一方、作用ロッド１４３ｃが後方に移動すると、作用ロッド１４３ｃの押棒部（後述）によって調圧ボールが調圧孔から押し除けられ、調圧孔を常時開放する状態となると共に、作用ロッド１４３ｃの開閉ロック部ＲＣによるレバー部材１４６の回動運動の規制が解除されて蓋体１４０が開く状態となる。作用ロッド１４３ｃは、図４に示されるように、主に、押棒部、延設部ＥＰおよび開閉ロック部ＲＣから形成されている。押棒部は、調圧ボール収容部１４３ａに出没自在であって、上述の通り、圧力炊飯運転以外において調圧ボールを押して調圧孔を常時開放する役目を担っている。延設部ＥＰは、押棒部と開閉ロック部ＲＣとを物理的に連結する部位であって、平面視において略Ｌ字形を呈している。開閉ロック部ＲＣは、図４に示されるように、延設部ＥＰの前端に設けられている部位であって、レバー部材１４６のうちコイルバネに対向する部位の下側の隙間に出没自在とされている。なお、この開閉ロック部ＲＣは、圧力炊飯運転時すなわち作用ロッド１４３ｃが前方に移動するとき、前述の隙間に進入し、作用ロッド１４３ｃが後方に移動するとき、前述の隙間から抜き出ることになる。なお、本実施の形態において、この圧力調整機構としては、特に限定されず、従前のものが採用されてもかまわない。
【００４６】
補強部材１４４は、下側外装部材１４１ｂの剛性を高めるためのものであって、ポリフェニレンサルファイド（ＰＰＳ）等のエンジニアリングプラスチックから形成されている。なお、エンジニアリングプラスチックは、汎用樹脂に比べてその剛性が高く、耐熱性に優れるため、汎用樹脂よりも熱変形しにくい性質を有する。
【００４７】
そして、この補強部材１４４は、図４および図５に示されるように、略角枠形状を呈する部材であって、外装体１４１の下側外装部材１４１ｂに対してビス止めされている。なお、図４および図５に示されるように、補強部材１４４の後側の部位は、外装体１４１の下側外装部材１４１ｂに対して軸固定部含有部材１４７の延設部（後述）１４７ｂと共にビスで共締めされている。
【００４８】
内蓋１４５は、図２に示されるように内鍋１３０の上部を覆って密閉するための部材である。
【００４９】
軸固定部含有部材１４７は、図４に示されるように略Ｌ字形の柱状部材であって、軸固定部１４７ａおよび延設部１４７ｂを有し、下側外装部材１４１ｂに対して左右に一対設けられている。なお、この軸固定部含有部材１４７は、ポリプロピレン等の汎用樹脂で形成されている。軸固定部１４７ａは、図４に示されるように軸１５１を固定する役目を担っている。延設部１４７ｂは、図４および図５に示されるように軸固定部１４７ａから前方に向かって延びている。なお、この延設部１４７ｂは、図４に示されるように平面透視において軸固定部１４７ａから内鍋１３０の外周線（図４中の破線円）の内側に入るまで延びている。すなわち、軸固定部１４７ａは平面視において内鍋１３０と重なることはないが、延設部１４７ｂは平面透視において内鍋１３０と重なっている。
【００５０】
軸１５１は、蓋体１４０の回動軸となるシャフトであって、上述の通り、軸固定部含有部材１４７の軸固定部１４７ａに固定されている。なお、この軸１５１は、ヒンジ機構１５０の締結板金１５３の軸受孔（図示せず）によって回動自在に支持されている。
【００５１】
４．ヒンジ機構
ヒンジ機構１５０は、図２および図４に示されるように、主に、軸１５１、中央大径円筒部１５２、締結板金１５３および一対のトーションバネ１５４等から構成されており、上述の通り、蓋体１４０が本体１１０に対して回動自在となるように蓋体１４０を本体１１０に取り付けている。なお、上述の通り、このヒンジ機構１５０は、図２および図６に示されるようにトーションバネ１５４によって蓋体１４０を開方向に向かって付勢している。
【００５２】
軸１５１は上記説明の通りである。中央大径円筒部１５２は、一対のトーションバネ１５４の配設位置を決めるための部位であって、図４に示されるように軸１５１に中央に取り付けられている。締結板金１５３は、図６に示されるようにヒンジ機構１５０を本体１１０の保護枠１１１ｄのフランジ部ＦＰに取り付けるための部材である。この締結板金１５３は、図４に示されるように平面視において略「コ」の字形状を呈しており、主に、主壁部ＢＭと、主壁部ＢＭの左右両端に配設される一対の側壁部ＲＡとから形成されている。そして、主壁部ＢＭは、図４に示されるように、トーションバネ１５４よりも内鍋側（本体側）に位置している。また、この主壁部ＢＭにはビス孔ＯＢが形成されている。図６に示されるように、ビス孔ＯＢにはビスＢＳが通り、ビスＢＳが保護枠１１１ｄのフランジ部ＦＰに螺入されることによって、ヒンジ機構１５０が保護枠１１１ｄのフランジ部ＦＰに締結される。なお、図６に示される通り、締結板金１５３は、軸１５１よりも内鍋側で保護枠１１１ｄのフランジ部ＦＰにビス止めされている。また、各側壁部ＲＡには、軸受孔（図示せず）が形成されている。上述の通り、この軸受孔には軸１５１が回動自在に挿入されている。
【００５３】
ところで、このヒンジ機構１５０は、図２および図６に示されるようにヒンジカバー１６０で覆われている。以下、このヒンジカバー１６０について詳述する。
【００５４】
ヒンジカバー１６０は、図２および図６に示されるようにヒンジ機構１５０の後側を覆う部材であって、図７に示されるように、主に、主壁部１６１、天壁部１６２、側壁部１６３、爪部１６４、爪梁部１６５、ビス受け部１６６およびリブ部１６７から形成されている。
【００５５】
主壁部１６１は、図７に示されるように部分円筒形状を呈する壁部位であって、ヒンジ機構１５０の後側を覆う役目を担っている。そして、この主壁部１６１には、図７に示されるように上側に開口する一対の縦スリットＳｖが左右に形成されている。なお、本発明の実施の形態において、この主壁部１６１には、従前のヒンジカバーに形成されているビス孔は形成されていない。
【００５６】
天壁部１６２は、図７に示されるように主壁部１６１の上端から水平方向に沿って片側に延びる壁部位であって、ヒンジ機構１５０の後部の上側を覆う役割を担っている。そして、この天壁部１６２には、図７に示されるように主壁部１６１の縦スリットＳＬに対応位置に、前後方向に開口する横スリットＳｈが形成されている。なお、本説明において、縦スリットＳＬと横スリットＳｈとを合わせたものを「スリットＳＬ」と称することがある。そして、このスリットＳＬには、蓋体１４０の開閉時にトーションバネ１５４の一部が通過する。
【００５７】
側壁部１６３は、図７に示されるように主壁部１６１の両側端から、天壁部１６２が延びる側と同じ側に向かって延びる壁部位であって、ヒンジ機構１５０の後部の側面を覆う役割を担っている。
【００５８】
爪部１６４は、図７に示されるように爪梁部１６５の先端に形成されている。そして、この爪部１６４は、図８に示されるように締結板金１５３の側壁部ＲＡの上端部から外方に向かって延びるフランジ部ＦＴに係止される。
【００５９】
爪梁部１６５は、図７に示されるように主壁部１６１の縦スリットＳｖの外側の上端付近から、天壁部１６２が延びる側と同じ側に向かって延びている。また、上述の通り、この爪梁部１６５の先端には、爪部１６４が形成されている。
【００６０】
ビス受け部１６６は、図７に示されるように主壁部１６１の下端部から、天壁部１６２が延びる側と同じ側に向かって延びる部位である。このビス受け部１６６は、図７に示されるように主壁部１６１の縦スリットＳｖの僅かに内側に位置するように形成されている。このビス受け部１６６には、ビスＢＳ（図９参照）を螺合させるためのビス孔ＯＩが形成されている。このビス孔ＯＩは、ヒンジカバー１６０の高さ方向に沿って形成されている。そして、図９に示されるように、このビス孔ＯＩには、肩部材１１１ｃの後端側に形成されているビス孔ＯＤを通ったビスＢＳが螺合される。その結果、肩部材１１１ｃに対してヒンジカバー１６０が締結される。なお、このビスＢＳは、肩部材１１１ｃに対して側壁１１１ａが取り付けられる前に螺合される。
【００６１】
リブ部１６７は、位置決めおよび補強の役目を担う梁状の部位であって、図７に示されるように、主壁部１６１の裏側面において、主壁部１６１ている。そして、このリブ部１６７は、図８に示されるように締結板金１５３の側壁部ＲＡの上端から僅か下側に形成される凹部ＹＡに嵌め込まれる。
【００６２】
＜本発明の実施の形態に係る炊飯器の特徴＞
（１）
本発明の実施の形態に係る炊飯器１００では、ヒンジカバー１６０の爪部１６４が締結板金１５３に対して係止される。このため、この炊飯器１００では、ヒンジカバー１６０と締結板金１５３との間に隙間等を生じにくくすることができる。
【００６３】
（２）
本発明の実施の形態に係る炊飯器１００では、爪梁部１６５の先端に爪部１６４が形成されている。このため、この炊飯器１００では、ヒンジカバー１６０の形状を安定させることができる。
【００６４】
（３）
本発明の実施の形態に係る炊飯器１００では、主壁部１６１の下端部から裏側に向かってビス受け部１６６が延びており、そのビス受け部１６６に、ヒンジカバー１６０の高さ方向に沿ったビス孔ＯＩが形成されている。そして、そのビス孔ＯＩには、肩部材１１１ｃの後端側に形成されているビス孔ＯＤを通ったビスＢＳが螺合される。その結果、肩部材１１１ｃに対してヒンジカバー１６０が締結される。このため、この炊飯器１００では、ヒンジカバー１６０の外側にビスＢＳの頭が露出することを避けることができ、延いてはヒンジカバー１６０のデザイン性の向上に貢献することができる。
【００６５】
（４）
本発明の実施の形態に係る炊飯器１００ではヒンジカバー１６０の裏側に、締結板金１５３に対する位置を決めるリブ部１６７が形成されている。このため、この炊飯器１００では、ヒンジカバー１６０の取付けを容易にすることができると共に、仮にヒンジカバー１６０が熱変形したとしてもその変形度合いを低くすることができる。
【００６６】
（５）
本発明の実施の形態に係る炊飯器１００では、爪梁部１６５が主壁部１６１の縦スリットＳｖの外側の上端付近から裏側に向かって延びており、爪梁部１６５の先端に爪部１６４が設けられている。このため、この炊飯器１００では、ヒンジカバー１６０が熱によって膨張した場合であっても爪部１６４がトーションバネ１５４の一部に接触する等、トーションバネ１５４の一部の動きを阻害することを防止することができる。
【００６７】
（６）
本発明の実施の形態に係る炊飯器１００では、主壁部１６１の裏側面において、主壁部１６１の高さ方向略中央を通る水平面に沿って一方の側端から他方の側端を走るようにリブ部１６７が形成されている。このため、この炊飯器１００では、ヒンジカバー１６０の熱等による変形を抑制することができる。
【００６８】
＜変形例＞
（Ａ）
先の実施の形態に係る炊飯器１００ではリブ部１６７が位置決めリブのみならず補強リブの役割を果たしていたが、位置決めリブと補強リブを別々に設けてもよい。
【００６９】
（Ｂ）
先の実施の形態では本発明が炊飯器１００に適用されたが、本発明は他の電気製品（電気調理器を含む。）や、機械（調理機械を含む。）、構造物（調理器具等を含む。）等に適用されてもかまわない。
【符号の説明】
【００７０】
１００      ：炊飯器（容器体）
１１０      ：本体
１１１ｃ    ：肩部材（第２部材）
１４０      ：蓋体
１５０      ：ヒンジ機構
１５３      ：締結板金（第１部材）
１５４      ：トーションバネ（付勢部材）
１６０      ：ヒンジカバー（カバー部材）
１６４      ：爪部
１６５      ：爪梁部（延設部）
１６６      ：ビス受け部
１６７      ：リブ部（位置決めリブ，補強リブ）
ＯＩ        ：ビス孔
ＳＬ        ：スリット
【図１】
2020192063.tif 000003
【図２】
2020192063.tif 000004
【図３】
2020192063.tif 000005
【図４】
2020192063.tif 000006
【図５】
2020192063.tif 000007
【図６】
2020192063.tif 000008
【図７】
2020192063.tif 000009
【図８】
2020192063.tif 000010
【図９】
2020192063.tif 000011